(57)【要約】【課題】  ズボン（衣服）の２つのベルト用ループの間にのみに取り付けられる締め付け装置を提供すること。【解決手段】本発明の締め付け装置は、ウエストでズボンの残りの部分に作用する。本発明の締め付け装置は、あらゆる構造、材料、デザインの中央部品１を有し、且つ２個の係止手段３を有する装飾的要素（例えばレース）から構成される。この係止手段３は、衣服の一対のベルト用ループ４，４’を通過し、中央部品１の後ろで折り曲げられて結び６により互いに取り付けられる。これによりベルト用ループを通してズボンをユーザの体に締め付ける。【選択図】  図２
2009507139.tif 000002
【特許請求の範囲】
【請求項１】
衣服用の締め付け装置において、
中央部品（１）と、
結合手段（２）と、
係止手段（３）と
を有し、
前記中央部品（１）は、その両端に係止手段（３）用の結合手段（２）を具備し、
前記係止手段（３）は、衣服（５）に直接あるいは前記係止手段（３）を中央部品（１）の後ろで重ね合わせることにより、閉じられ、
締め付け効果が、前記ユーザの腰に掛かり、締め付けるのみならず、腰のレベルでより広い衣服にかかる
ことを特徴とする衣服用締付け装置。
【請求項２】
前記係止手段（３）は、一対のベルト用ループ（４，４’）を用いて係止手段（３）を衣服（５）に取り付ける
ことを特徴とする請求項１記載の衣服用締付け装置。
【請求項３】
前記係止手段（３）は、一対の穴（１０）を用いて衣服（５）に固定する
ことを特徴とする請求項１記載の衣服用締付け装置。
【請求項４】
前記係止手段（３）は、ストラップ、ストリング、レース、ブレースあるいはフレキシブルで且つ弾性材料から構成される
ことを特徴とする請求項１−３のいずれかに記載の衣服用締付け装置。
【請求項５】
前記中央部品（１）は、相互係止手段（７）を具備した物理的に独立した部分（１，１’）から構成される
ことを特徴とする請求項１−４のいずれかに記載の衣服用締付け装置。
【請求項６】
前記係止手段（３）は、中央部品（１）上のスラット（８）により形成され、
前記スラット（８）は、ベルト用ループ（４）に取り付けられ、
それらは、中央部品（１）の後ろで重なり合わせて閉じられ、これは例えばマグネット、接着剤、ベルクロ（登録商標）、バックル等により行われる
ことを特徴とする請求項１−５のいずれかに記載の衣服用締付け装置。
【請求項７】
衣服（５）に固定するために、衣服（５）の前記の点に対称に配置されたベルト用ループ（４−４’）を用い、
前記中央部品（１）は、中央部品（１）を裏側に配置する後部に配置される
ことを特徴とする請求項１−６のいずれかに記載の衣服用締付け装置。
【発明の詳細な説明】
【技術分野】
【０００１】
本発明は、ユーザの腰に衣服（例、ズボン、スカート、ズボン・スカート、ジャケット等）を固定する締め付け装置（例：ベルト）に関する。
【０００２】
本発明の目的は、二つの機能（一方の機能は衣服を固定し、他方の機能は衣服に装飾的機能を与えること）すること、さらに衣服を身体の周囲に固定し様々なデザインの可能性を広げることおよび実際の使用に適する締め付け装置を提供することである。
【０００３】
本発明は、衣服のアクセサリでもある。
【背景技術】
【０００４】
衣服を身体に固定するに際しては、特に下半身用衣服の場合には、２つのシステム（即ちブレースとベルト）が公知である。ブレースは「ズボンつり」による固定手段を構成し、ベルトはユーザのウエストの周囲に巻かれ、多種類のフック・システムで重ねて締め付ける装置を構成する。
【０００５】
ベルトは、ズボンをそのベルト用ループを通して固定する。この構成は、その形状を決定づけ、デザイナーは。バックル（すなわち締め付け要素）の構造を超えて創作するこはできない。その理由は、ベルトの本体はベルト用ループを通過できる幅の帯だからである。
【０００６】
ベルト用ループを具備しない衣服のデザインの場合には、ベルトは、衣服を保持する（締め付ける）要素として使用することはできない。
【発明の開示】
【発明が解決しようとする課題】
【０００７】
本発明の締め付け装置は、従来のベルトの制約を取り除き、様々な機能に基づいて完全に満足できる形で上記の問題を解決する。本発明の締め付け装置は、従来のベルトの場合のようにユーザのウエスト（腰）の周囲を完全に包囲するのではなく、締め付け装置と共働する衣服と共に、衣服に部分的な最小の影響を及ぼす（部分的に締め付ける）だけである。
【０００８】
具体的には、本発明の締め付け装置は中央本体から構成される。この中央本体は、締め付け装置の装飾要素の支持部材を構成し、単品あるいは複数部品からなり、適宜の中央部品の形態で得られる。この中央部品は、適宜の長さを有し、ユーザの腰回りよりも常に短く、その両端にはそれぞれ締め付け要素（例、ストリップ、ストリング、弾性的でフレキシブルである）が伸びて、ベルト用ループを通過でき、且つ前記中央部品の裏に折り曲げ可能であり、これにより締め付け要素を折り曲げた後、一体に結合され、締め付ける、あるいは一方の部品の上に他方を折りたたむのに必要な引っ張り力をかけることができる。
【課題を解決するための手段】
【０００９】
上記したように、本発明の締め付け装置を実現するためには、２個のベルト用ループが衣服に必要とされるだけである。この締め付け装置を用いてユーザの腰に衣服を締め付ける。これは以下から得られる。
（Ａ）  中央部品は基本的部分を構成する。本発明の締め付け装置は、いかなる構造、形状も採用でき、衣服のベルト用ループよりも広い幅でもよい。
（Ｂ）  本発明の締め付け装置は、所定の距離で離間した２個のベルト用ループに固定するために、衣服の前部分の上に配置されるが、後ろ部分および側面のいずれも利用できる。
（Ｃ）  衣服は２個のベルト用ループのみを含む、しかしこのループはなくてもよい。ベルト用ループはフック要素（或いは締め付け要素）が通過できる開口でもよい。
【００１０】
本発明の装置は、ベルトをユーザの腰回りに一周させる代わりに、２つの離間して配置されたベルト用ループを利用し、衣服の有効周囲長さを縮め、身体への適切な締め付けを可能とする。
【００１１】
締め付け装置の連結要素に関しては、前記のフック要素（すなわちリボン、ストリング、ストリップ等）はその端部を結合することにより固定されるが、その両端には従来の適宜の締め付けシステム（マグネット、ベルクロ（登録商標）、スライド・ファスナー、弾性体、バックル等）を具備できる。
【００１２】
最後に、中央部品は２つの部分に分割され、それらは連結システムを介して連結され、装置の締め付けや連結は中央部品で行われる。
【実施例】
【００１３】
図１、２において、本発明の衣服（ズボン５）の締め付け装置は、中央部品１を有する。中央部品１は、中央のバックルとその両端にのびる装飾ベルトから構成される。この中央部品１は、ユーザの腰回りの約半分の長さからなり、図２に示すようにズボンの前部分に付けられる。この中央部品１は、フック２の端部でそれぞれレース３が取り付けられる（終端される）。このレース３は、ズボン５に形成されたベルト用ループ４を貫通し、中央部品１の後ろに戻り、結び６で互いに結ばれる。この結び６は、隠れていても見えても（図２に示す）よい。
【００１４】
実際には、ズボン５の前面開口にもっとも近いベルト用ループ４は、使わずに中央部品１（特に装飾ベルト）がこれらループ４を通過してもしなくてもよく、横にあるベルト用ループ４’（図８）に中央部品１を固定することもできる。ベルト用ループ４は、中央部品１（特に装飾ベルト）が短い場合、例えば図３に示す場合には、使用することができる。ここで、図１と３では、中央部品１のサイズと形状は全く異なっている。
【００１５】
図４、５に示すように、中央部品１は２つの部分１，１’に分割できる。この２つの部分１，１’は、結合システム７により結合／連結される。この中央部品１を構成する２つの部分１，１’は、レース３あるいは他の結合要素を有さない。中央部品１，１’は、側面延長部と折り返し部分８とを有する（コの字状をしている）。この折り返し部分８がズボンのベルト用ループ４に結合／連結できる固定用開口（溝）９を形成する（図５に示す）。
【００１６】
本発明にとってベルト用ループ４は必須ではない。ズボンあるいは衣服は、ベルト用ループを有していなくてもよく、本発明の締め付け装置を使用する際に障害とはならない。図６、７に示すように、ズボン５は、ベルト用ループ４の代わりに、レース３あるいは結合フック要素を通過させる穴１０を有してもよい。
【００１７】
図６、７は、上記の場合とは全く異なるデザインの中央部品１を示す。この締め付け装置は、ズボンを支持する機能に加えて装飾的、審美的等の要素を有する。
【００１８】
図１−７に示すように本発明の締め付け装置は衣服の前面に配置されているが、ユーザの腰回りの周囲のいかなる場所に配置できる。図８に示すように、本発明の締め付け装置はズボン５の脇の２つのベルト用ループ４，４’の間に配置できる。後ろの２個のベルト用ループも用いることもでき、これにより中央部分をその場所に残し、ユーザの要望を制限することなく、本発明の締め付け装置のより多様性のある使用が可能となる。
【００１９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２０】
【図１】衣服（その一部のみが示す）と本発明による衣服の締め付け装置の展開図。
【図２】衣服上に搭載された本発明の腰部の締め付け装置の正面図。
【図３】図２に類似するが、別のデザインの締め付け装置の正面図。
【図４】中央部品が２つの部品に分割され、ベルト用ループに固定する別の手段を用いる本発明の締め付け装置の変形例を表す図。
【図５】図３のズボンに図４の締め付け装置を採用した図。
【図６】図１に類似するが、衣服はベルト用ループを有さず、本発明の締め付け装置が衣服に適宜形成された穴を介して固定される状態を表す図。
【図７】図６に表された要素を組み合わせた図。
【図８】図３に類似する締め付け装置を表し、この締め付け装置はズボンの正面ではなく側面に搭載された状態を表す図。
【符号の説明】
【００２１】
１    中央部品
２    フック
３    レース
４    ベルト用ループ
５    ズボン
６    結び
７    結合システム
８    折り返し部分
９    固定用開口
１０  穴
【図１】
2009507139.tif 000003
【図２】
2009507139.tif 000004
【図３】
2009507139.tif 000005
【図４】
2009507139.tif 000006
【図５】
2009507139.tif 000007
【図６】
2009507139.tif 000008
【図７】
2009507139.tif 000009
【図８】
2009507139.tif 000010
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
ズボン、スカート、ジャッケト等の衣服用の締め付け装置において、
前記締め付け装置は、離間した２点で前記衣服に作用し、
前記締め付け装置と前記衣服の前記２点間の残りの広い部分は、衣服の装着者の腰に締め付け作用をし、
締め付け引っ張り力を吸収する中央部品を有し、
前記中央部品は、その両端で、補助手段を介して前記衣服の所定の点に直接結合する結合手段に適合する剛性体である
ことを特徴とする衣服用締付け装置。
【請求項２】
前記剛性体は、その端部に延長部を有し、
前記延長部は、前記剛性体で折り曲げられて対向する口を有する溝を形成し、
前記締め付け装置が、前記口を介して、前記衣服のベルト用ループに固定される
ことを特徴とする請求項１記載の衣服用締付け装置。
【請求項３】
前記剛性体は、２個の部品により構成され、
前記２個の部品は、相互固定フックを具備する
ことを特徴とする請求項１，２のいずれか記載の衣服用締付け装置。
【国際調査報告】
2009507139.tif 000011
2009507139.tif 000012
2009507139.tif 000013
2009507139.tif 000014
2009507139.tif 000015
2009507139.tif 000016